(57)【要約】【課題】台間機の上部等に設けた紙幣識別器からの紙幣を一方向へ搬送する紙幣搬送装置を遊技装置に沿って配置したタイプと、紙幣識別器が内蔵されたタイプとが存在するが、これら両タイプの台間機は別々の制御回路構成であり、一方のタイプの遊技装置を他方のタイプの遊技装置に変更する場合、その変更に伴うコストが嵩む。本発明はこの点を改良した台間機とその制御に係る。【解決手段】台間メダル貸機は、紙幣識別装置からの金額情報をＩＣカードに書き込みその金額情報を読み出すリーダライタと、メダル払い出し部と、紙幣識別装置・カード駆動装置・リーダライタ及びメダル払い出し部と電気的接続の制御部とを備え、前記制御部は紙幣識別装置内蔵タイプと、外部設置の紙幣搬送タイプとに共通する構成とし、紙幣搬送タイプは制御部にコネクタ接続され、コネクタの接続によって制御部の回路電圧レベルを変更する回路を設けたこと。【選択図】      図７
2004215762.tif 000002
【特許請求の範囲】
【請求項１】
メダル払い出し装置を備えた台間メダル貸機が遊技機に隣接設置され、前記台間メダル貸機は、ＩＣカードの受け入れ及び返却動作をするカード駆動装置と、紙幣識別装置からの金額情報をＩＣカードに書き込みＩＣカードの金額情報を読み出すリーダライタと、メダル払い出し部と、前記の紙幣識別装置、カード駆動装置、リーダライタ及びメダル払い出し部と電気的接続関係にある制御部とを備え、前記制御部は、前記台間メダル貸機内に紙幣識別装置が内蔵された内蔵タイプと前記台間メダル貸機外に設置された外部紙幣識別装置で識別した紙幣を紙幣搬送装置によって搬送する紙幣搬送タイプのいずれにも適応する構成であり、前記紙幣搬送タイプは前記制御部に対して前記外部紙幣識別装置がコネクタにて接続される構成であり、前記コネクタの接続によって前記制御部の回路電圧レベルを変更する回路を設けたことを特徴とする遊技装置。
【請求項２】
前記回路電圧レベルを変更する回路は、前記コネクタが接続されないときにはハイレベル電圧又はローレベル電圧であり、前記コネクタの接続によってこの電圧とは異なるローレベル電圧又はハイレベル電圧へ接続するループバックケーブルを前記コネクタに備えたことを特徴とする請求項１に記載の遊技装置。
【発明の詳細な説明】
【０００１】
【発明の属する技術分野】
本発明は、遊技媒体としてのメダル払い出し装置を備えた台間メダル貸機が遊技機に隣接設置された遊技装置に関する。
【０００２】
【従来の技術】
先行技術として、台間機には紙幣識別器を内蔵せずに紙幣識別器を外部設置方式とするように、メダル貸機やパチンコ玉貸機である台間機と遊技機が交互に背合わせで並設されて島を構成し、台間機の上部には紙幣識別器が設けられ、この紙幣識別器へ挿入され識別された紙幣を一方向へ搬送する紙幣搬送装置を島の内側の間隙に配置したものがある（例えば、特許文献１参照）。
【０００３】
またパチンコやパチスロ等の遊技機間に装着される台間機に紙幣識別器が内蔵され、投入された紙幣をこの紙幣識別器で識別し、識別した真正紙幣を台間機内の収納部へ収納する方式とし、カード出し入れ口から投入された専用カードに投入金額を書き込み、書き込まれた金額から玉貸し金額を差し引く形態のものがある（例えば、特許文献２参照）。また台間機には、紙幣識別器が内蔵されておらずＩＣカードへの金額情報の書き込み機能もないが、遊技島の端部に設置した販売機へ紙幣を投入して購入金額を選択することによりＩＣカードを購入し、このＩＣカードをパチンコ遊技機相互間に設置した台間機へ挿入して所定の取引を行うことによりパチンコ球を借りるものがある（例えば、特許文献３参照）。
【０００４】
更に、台間メダル貸機がパチスロ機の横に併設されて島を構成した既存タイプがあって、この既存の台間メダル貸機の上に台間貸機用紙幣受入れ装置を設置すると共にこの台間貸機用紙幣受入れ装置の紙幣投入口へ投入された紙幣を搬送する搬送ラインを設置した搬送システム構成のものがある（例えば、特許文献４参照）。この特許文献４のものは、台間メダル貸機と台間貸機用紙幣受入れ装置の双方に紙幣投入口を設け、通常は、搬送システム側の台間貸機用紙幣受入れ装置の紙幣投入口へ紙幣を投入してメダル貸しを行うと共に搬送ラインによって紙幣を搬送するが、搬送システム側にトラブルが発生した場合には、切換えスイッチによって搬送システム側の紙幣識別検知手段からの払出信号を台間メダル貸機に内蔵した既設の紙幣識別検知手段からの払出信号に切り換えるものである。
【０００５】
【特許文献１】
特開２００１−２３２０４６号公報（第２頁〜第４頁、図１）
【特許文献２】
特開２００２−０００９２４号公報（第４頁、図１）
【特許文献３】
特開２０００−３４２８３７号公報（第５頁〜第７頁、図１）
【特許文献４】
特開２００１−１６２０２７号公報（段落番号０００４〜００２１、
００３０、図１〜図６）
【０００６】
【発明が解決しようとする課題】
従来は、特許文献１のように、台間機の上部に紙幣識別器が設けられて、この紙幣識別器からの紙幣を一方向へ搬送する紙幣搬送装置を島の内側の間隙に配置したタイプのものと、特許文献２の台間機のように、紙幣識別器が内蔵されていて、カードへの金額の書き込みと書き込まれた金額から玉貸し金額を差し引く機能を備えたタイプとがそれぞれ存在するが、これら両タイプの台間機に共通の制御動作をするような電気回路構成の制御部を備える技術思想は存在せず、このため、従来は、夫々のタイプに専用の制御回路を構成して制御動作を行っている。
【０００７】
また、特許文献４のものは、台間メダル貸機がパチスロ機の横に併設されて島を構成した既存タイプに、台間貸機用紙幣受入れ装置と搬送ラインとで構成する搬送システムタイプを付設するものであるため、この両タイプが一つの遊技島に設けられた状態である。この特許文献４のものは、両タイプを一つの遊技島に設けるためコストが嵩む問題がある。そして、切換えスイッチの切換え操作を忘れた場合や何らかが当たって切換えスイッチが元に戻った場合等には正常な動作が得られない問題も含む。
【０００８】
投入された紙幣を紙幣識別器で識別し、その識別した真正紙幣の金額情報をカード挿入口から挿入されたＩＣカードに書き込み、書き込まれた金額情報からメダル貸し金額を差し引くようにリーダライタを備えた台間機構成とし、この台間機からの情報を通信中継手段を介して集中管理システムとしてのホストコンピュータへ送信するシステムを組む場合、前記両タイプが共通の制御を行うようにすれば、個々の回路構成にする場合に比してコストが下がる。そして、一方のタイプの遊技装置を他方のタイプの遊技装置に変更する場合も、その変更に伴うコストが安くて済むことになる。
【０００９】
また、特許文献４のように、台間メダル貸機がパチスロ機の横に併設されて島を構成した既存タイプと、台間貸機用紙幣受入れ装置と搬送ラインとで構成する搬送システムタイプとを一つの遊技島に付設しておくのではなく、一方のタイプのみを使用する方式とし、特許文献４のように切り換えスイッチによる方式ではなく、両タイプに共通の制御を行う制御回路に何れのタイプが設置されたかを判別できる回路を設けることによって、制御を安定的に行うことができるものとなる。
【００１０】
本発明はこのような点に鑑みて、メダルの払い出し装置と、ＩＣカードの利用のためのリーダライタを備えた台間機構成とし、紙幣識別装置が台間機に内蔵されたタイプと、紙幣識別装置が台間機の外に設置されていて紙幣搬送装置によって紙幣を搬送するタイプとに共通の制御ができる制御部をこのそれぞれのタイプの台間機に設けて前記両タイプに共通の制御が行えるようにし、この制御部に何れのタイプが接続されたかをこの制御部に印加する電圧によって判別できる回路を設けることによって、上記課題を解決するものである。
【００１１】
【課題を解決するための手段】
本発明の遊技装置は、メダル払い出し装置を備えた台間メダル貸機が遊技機に隣接設置され、前記台間メダル貸機は、ＩＣカードの受け入れ及び返却動作をするカード駆動装置と、紙幣識別装置からの金額情報をＩＣカードに書き込みＩＣカードの金額情報を読み出すリーダライタと、メダル払い出し部と、前記の紙幣識別装置、カード駆動装置、リーダライタ及びメダル払い出し部と電気的接続関係にある制御部とを備え、前記制御部は、前記台間メダル貸機内に紙幣識別装置が内蔵された内蔵タイプと前記台間メダル貸機外に設置された外部紙幣識別装置で識別した紙幣を紙幣搬送装置によって搬送する紙幣搬送タイプのいずれにも適応する構成であり、前記紙幣搬送タイプは前記制御部に対して前記外部紙幣識別装置がコネクタにて接続される構成であり、前記コネクタの接続によって前記制御部の回路電圧レベルを変更する回路を設けたことを特徴とする。
【００１２】
これによって、紙幣識別装置と識別した真正紙幣を貯える収納部とを台間メダル貸機に内蔵する内蔵タイプの台間メダル貸機を使用する遊技装置においては、前記制御部によって内蔵した紙幣識別装置との動作が行われて、カード使用によるメダルの貸し出し供給が成立し、また前記紙幣搬送タイプを使用する遊技装置においては、紙幣識別装置が内蔵されていない台間メダル貸機を設置して、台間メダル貸機内の制御部へコネクタを接続することによって、紙幣搬送タイプの制御状態となる。このため、紙幣識別装置内蔵タイプの台間メダル貸機方式と、紙幣識別装置外部設置タイプの台間メダル貸機方式との何れが設置された遊技装置においても、紙幣識別装置との信号形態が共通であれば、制御部やリーダライタやメダル払い出し装置の制御を同じく行えるため、何れのタイプの遊技装置にも適用でき、製造とそれに伴うコストの面で大きな効果が期待できる。
【００１３】
また、本発明の遊技装置では、前記回路電圧レベルを変更する回路は、前記コネクタが接続されないときにはハイレベル電圧又はローレベル電圧であり、前記コネクタの接続によってこの電圧とは異なるローレベル電圧又はハイレベル電圧へ接続するループバックケーブルを前記コネクタに備えたことを特徴とする。
【００１４】
これによって、ループバックケーブルを介して、外部紙幣識別装置の電源がＯＮ状態でないときにも外部紙幣識別装置が接続されたことを判別回路が判別するため、制御部を外部紙幣識別装置と紙幣搬送部との通信状態に設定することが正確且つ容易となる。
【００１５】
【発明の実施の形態】
次に、本発明の実施の形態について説明する。各図は本発明の実施形態を示しており、図１は紙幣識別装置内蔵タイプの台間機を設置した遊技装置の島の正面図、図２は紙幣識別装置外部設置タイプの台間機を設置した遊技装置の島の正面図、図３は紙幣識別装置内蔵タイプの台間機の正面図、図４は紙幣識別装置外部設置タイプの台間機の正面図、図５は紙幣搬送装置の配置を示す遊技装置の平面図、図６は紙幣識別装置内蔵タイプの台間機を設置した遊技装置の制御回路構成図、図７は紙幣識別装置外部設置タイプの台間機を設置した遊技装置の制御回路構成図、図８は紙幣識別装置と紙幣搬送装置との配置構成の平面図、図９は紙幣搬送装置の一部正面図である。
【００１６】
本発明を図に基づき説明する。先ず図１、図３及び図６において、１はパチスロ機やスロットマシン等のように遊技媒体にメダルを使用する遊技機である。２は遊技機１の横に隣接するように遊技機１相互間に配置される台間機であり、台間メダル貸機とも称し、遊技機１の横に隣接するように台間メダル貸機２が配置されて遊技装置Ｐの島を形成している。遊技機１と台間メダル貸機２は、遊技装置Ｐの島の外観形成を良好にするために、同一高さに形成されている。台間メダル貸機２は、上部に紙幣処理部１０、下部にメダル払い出し部３０、中間部にカード処理部２０を内蔵している。紙幣処理部１０は、前面に開口した紙幣挿入口１１から挿入された紙幣１００の真偽判別を行う紙幣識別装置１２と、識別した真正紙幣を貯える紙幣収納部１３を備えている。カード処理部２０は、前面に開口したＩＣカード挿入口２１から挿入されたＩＣカードの受け入れ及び返却動作をするカード駆動装置を備え、受け入れたＩＣカードへ金額情報を書き込み、また書き込まれた金額情報やその他の情報を読み出すリーダライタ２２と、使用済みＩＣカードを収納するカード収納部２３を備えている。メダル払い出し部３０は、メダルを収納したメダル収納部３１と、このメダル収納部３１からメダルを取り出し口３２またはメダル移送ノズル３３へ送り出すメダル払い出し装置３４を備えている。
【００１７】
台間メダル貸機２は上記の他に、紙幣処理部１０の前面には、紙幣識別装置１２へ挿入するための紙幣挿入口１１を備え、カード処理部２０の前面には、テンキー、ＩＣカードの返却スイッチ、メダル貸し出しスイッチ及びその他の機能スイッチを備えたキーボードスイッチ部２４と表示部２５とを備える。メダル収納部３１へのメダルの補給は、前面板３５を開くことにより上面開口のメダル収納部３１へのメダルの補給が可能である。カード収納部２３へ収納されたカードは、前面板２６を開いて取り出し可能である。メダル払い出し装置３４は、メダル収納部３１の下端部において、電動機機構によって回転する払い出し盤の回転によって、メダル収納部３１のメダルを１枚ずつ払い出す仕組みである。
【００１８】
台間メダル貸機２に適用可能な紙幣１００は、例えば、１０００円、２０００円、５０００円、１００００円の紙幣である。
【００１９】
図６に示すように、台間メダル貸機２の内部には、紙幣処理部１０、カード処理部２０、及びメダル払い出し部３０へ信号を送り又は信号を受け取るようにこれらと電気的に接続された制御部４０を備えている。制御部４０は特定の判別回路４１を備え、判別回路４１の基準電圧ライン４２には、電源電圧のプラス電圧（ハイレベル電圧）であるＶｃｃが印加されている。この判別回路４１の状態は、制御部４０が紙幣処理部１０との信号の授受を行うことができる状態を表している。なお、判別回路４１の動作によっては、この基準電圧ライン４２へアース電圧（ローレベル電圧）が印加された状態とすることもできる。
【００２０】
このように判別回路４１によって制御部４０が紙幣処理部１０との信号の授受を行う状態において、通常、顧客はＩＣカードをＩＣカード挿入口２１へ挿入してから紙幣挿入口１１へ紙幣を挿入する。挿入された紙幣１００が紙幣識別装置１２に設けた紙幣移送装置によって識別部へ送られて識別される。ここで真正紙幣であると判別されたときには、紙幣処理部１０から制御部４０へその金額情報（価値情報ともいう）が送信され、制御部４０はこの金額情報をリーダライタ２２によってＩＣカードへ書き込むよう制御する。これと共に制御部４０は紙幣処理部１０へ紙幣取り込み信号を発して、紙幣識別装置１２に設けた紙幣移送装置を駆動して紙幣を紙幣収納部１３へ移送する。若し偽紙幣の場合には、前記紙幣移送装置によって紙幣挿入口１１へ返却される。ＩＣカードへ書き込まれた合計金額は、表示部２５に表示される。
【００２１】
上記のようにＩＣカードへの金額情報の書き込みが行われた後、前記のメダル貸し出しスイッチが押されると、メダル払い出し部３０へ信号を送り、メダル払い出し装置３４を作動させて、メダル収納部３１から１回に貸し出される所定枚数のメダルを取り出し口３２またはメダル移送ノズル３３へ送り出す。
【００２２】
このメダルの払い出し動作と共に制御部４０は、この払い出した貸し出しメダルに相当する金額情報（価値情報ともいう）を減算させるための信号をリーダライタ２２へ送信して、この減算した残額の金額情報をリーダライタ２２によってＩＣカードに書き込むよう制御する。ＩＣカードの残額は、表示部２５に表示される。カード処理部２０は、リーダライタ２２によってＩＣカードに書き込まれた情報を台間メダル貸機２の外に設けた通信中継装置４５を介して集中管理システムとして設けた遊技施設内のホストコンピュータへ送信し、各種の情報管理が行われる。
【００２３】
このように、制御部４０によって紙幣処理部１０、カード処理部２０、及びメダル払い出し部３０が所定の動作をする。ＩＣカードは、遊技装置Ｐが設置されたその遊技施設に登録した顧客に対して、又は一見顧客に対して発行するものである。一見顧客の場合は、その遊技施設から一見顧客用ＩＣカードの貸与を受けて、このＩＣカードをＩＣカード挿入口２１へ挿入してから紙幣挿入口１１へ紙幣を挿入することにより、上記のようにメダルの払い出し動作が行われる。この一見顧客用ＩＣカードには、その日限りの使用のみである情報が記憶されており、このＩＣカードを持ち帰って翌日使用することはできないようになっている。
【００２４】
一見顧客は、ＩＣカードの残額が少なくなったときには、紙幣挿入口１１へ紙幣を追加挿入することにより、ＩＣカードにその金額情報が書き込まれると共に合計金額が表示部２５に表示される。この場合も上記同様にメダルの払い出しを行うことができる。そして、遊技終了後は、ＩＣカードの返却スイッチボタンを押すことによって制御部４０からの指令に基づき、リーダライタ２２に備えたカード駆動装置の動作によってＩＣカードがＩＣカード挿入口２１へ返却される。なお、このＩＣカードを遊技施設に設けた清算機にて残額の返却清算ができる。また、一見顧客の場合には、ＩＣカードの返却スイッチを押したとき、ＩＣカードに書き込まれた金額を使い切った状態であれば、制御部４０からの指令によってリーダライタ２２に備えたカード駆動装置の動作によって使用済みカードとしてカード収納部２３へ取り込まれる。
【００２５】
一方、登録した顧客は、遊技施設から登録顧客用ＩＣカードの貸与を受けて、このＩＣカードをＩＣカード挿入口２１へ挿入してから紙幣挿入口１１へ紙幣を挿入することにより、ＩＣカードへの金額情報の書き込まれ、その書き込みが行われた後に前記のメダル貸し出しスイッチが押されると、メダル払い出し部３０へ信号を送り、メダル払い出し装置３４を作動させて、メダル収納部３１から１回に貸し出される所定枚数のメダルを取り出し口３２またはメダル移送ノズル３３へ送り出す。ＩＣカードの残額が少なくなったときには、紙幣挿入口１１へ紙幣を追加挿入することによりＩＣカードにその金額情報が書き込まれ、その合計金額が表示部２５に表示される。この場合も上記同様にメダルの払い出しを行うことができる。
【００２６】
このＩＣカードは、翌日使用することもできるようにするための情報が記憶されており、登録した顧客の利便を図っている。したがって、ＩＣカードの返却スイッチを押すことによってＩＣカードはＩＣカード挿入口２１へ返却され、翌日このＩＣカードを使用できる。翌日このＩＣカードをＩＣカード挿入口２１へ挿入して表示部２５の表示が残額を示す場合、その残額が遊技装置Ｐに設定された１回のメダル払い出し枚数以上であれば、前記のメダル貸し出しスイッチが押されると上記同様に所定枚数のメダルが払い出される。なお、このＩＣカードを遊技施設に設けた清算機に挿入することによって、残額の返却清算ができる。
【００２７】
上記は、紙幣識別装置内蔵タイプの台間機２が設けられた遊技装置Ｐに関するものである。次に紙幣識別装置外部設置タイプの台間機を設置した遊技装置Ｐについて、図２、図４、図５及び図７〜図９に基づき説明する。
【００２８】
図２、図４、図５及び図７〜図９において、図１、図３及び図６のものと同符号の部分は同一部分を示すものである。この方式において、遊技機１の横に隣接するように遊技機１相互間に台間機（台間メダル貸機ともいう）２Ａが配置されて遊技装置Ｐの島を形成している。遊技機１と台間メダル貸機２Ａは、遊技装置Ｐの島の外観形成を良好にするために、同一高さに形成されている。台間メダル貸機２Ａは、紙幣識別装置と紙幣収納部を内蔵せず、紙幣識別装置が外部設置タイプである。この外部設置の紙幣識別装置を符号８０で示す。台間メダル貸機２Ａは、台間メダル貸機２と同様に、下部にメダル払い出し部３０、中間部にカード処理部２０を備えているが、上部は空間であり前面を化粧板６０でカバーしている。
【００２９】
外部紙幣識別装置８０は、顧客の使用性を考慮して台間メダル貸機２Ａの上に載置される。台間メダル貸機２Ａが外部設置タイプであるため、紙幣識別装置８０で識別された真正紙幣１００は、紙幣識別装置８０の背面側に遊技装置Ｐに沿って配置した紙幣搬送装置５Ｂによって、金庫に相当する紙幣収納部Ｋへ向けて搬送される。
【００３０】
紙幣搬送部５は、紙幣搬送制御装置５Ａと外部紙幣搬送装置５Ｂとを備え、外部紙幣識別装置８０で識別した真正紙幣１００を紙幣搬送装置５Ｂによって所定の場所へ搬送制御する。紙幣搬送装置５Ｂは、図８に示すように、中継搬送装置４の複数と、紙幣識別装置８０の識別部Ｓで識別された真正紙幣１００を中継搬送装置４に合流させる合流装置３の複数とが、交互に配置された組み合わせによって構成されている。中継搬送装置４は、紙幣１００の入口側６と出口側７にそれぞれ一対ずつ設けた回転子８、９に掛け渡された所定幅の一対のベルト１１０、１１１によって、紙幣１００をその厚さ方向の両側から挟持して横長に立てた状態で搬送する搬送路１２を形成している。
【００３１】
合流装置３は、上流側の中継搬送装置４から搬送されてくる紙幣１００を、その厚さ方向の両側から挟持して横長に立てた状態で下流側の中継搬送装置４へ搬送するための一対の回転子５０と、紙幣識別装置８０の識別部Ｓで識別された真正紙幣１００を、横長に立てた状態で下流側の中継搬送装置４へ搬送するための回転子５１とを備えている。回転子５１は、外周面に突出した合成樹脂製の多数の弾性突起を備え、識別部Ｓで識別された真正紙幣１００をこの突起によってカーブした通路に沿って横長に立てた状態で下流に向けて送り出す作用をする。回転子５０、５１は、共通の電動機要素５３によって歯車５９Ａ、５９Ｂ等を介して駆動される。
【００３２】
紙幣識別装置８０は、横長に立てた状態で挿入された紙幣１００を識別部Ｓで識別するように、そして、識別した真正紙幣１００をその厚さ方向の両側から挟持して横長に立てた状態で合流装置３へ搬送するために、入口側と出口側にそれぞれ設けた一対の回転子６０、６１によって駆動される一対のベルト６２、６３を備えている。回転子６０、６１のいずれか一方は、電動機要素６０Ａによって駆動される。
【００３３】
合流装置３には、電動機要素５３と、回転子５０、５１と、回転子５０、５１を駆動する各種歯車５９Ａ、５９Ｂ等と、中継搬送装置４の回転子８の軸に取り付けた歯車５７に駆動力を伝達する歯車５５、５６等を備えている。これによって、歯車５５と５７が噛み合うように、中継搬送装置４の前後端部を合流装置３の前後に張り出した支持部１８０に載置すると共に、案内部１１５を合流装置３の入口に挿入状態に組み合わせ、この状態で中継搬送装置４の上端部に張り出した取り付け辺１８１に形成した孔に合流装置３の上面の突起１８２を嵌め合わせる。
【００３４】
これによって歯車５５と５７が噛み合い、電動機要素５３によって、合流装置３の回転子５０、５１と、中継搬送装置４の一対のベルト１１０、１１１が同期して駆動される。なお、歯車５５と５７との噛み合い保持の更なる確保のために、必要に応じて中継搬送装置４の入口側と合流装置３をネジ結合してもよい。中継搬送装置４の案内部１５は合流装置３の入口に挿入状態に組み合わされるため、中継搬送装置４の出口側と合流装置３の入口との間隔の長短が生じても、それはこの案内部１５が合流装置３の入口に入り込む深さの度合いによって吸収でき、紙幣の搬送には支障がない。
【００３５】
各紙幣識別装置８０の識別部Ｓで識別された真正紙幣１００が、紙幣搬送装置５Ｂへ移送されて詰まりなく搬送されるためには、紙幣１００が合流装置３から中継搬送装置４へ移送されるとき、その上流の中継搬送装置４から搬送される紙幣と衝突しない制御が必要である。このため、各中継搬送装置４には、一対のベルト１１０、１１１によって搬送される紙幣１００の存在を検知するセンサ２１０を設けている。
【００３６】
これによって、いま、或る一つの合流装置３（これを３Ａとする）の入口に連結された上流側の中継搬送装置４に搬送されている紙幣１００が存在しているときには、センサ２１０がそれをキャッチして、この一つの合流装置３Ａに対応する紙幣識別装置８０の電動機要素６０Ａを停止状態に制御して、この合流装置３Ａに対応する紙幣識別装置８０から紙幣１００が合流装置３Ａへ移送されないようにする。そして、この停止期間中に、この中継搬送装置４で搬送されている紙幣１００を合流装置３Ａを通してその下流側の中継搬送装置４へ移送し、この下流側の中継搬送装置４のセンサ２１０が移送された紙幣１００を検知したとき、紙幣搬送要求信号が制御部４０から紙幣搬送部５の紙幣搬送制御装置５Ａへ発せられ、紙幣搬送部５の紙幣搬送制御装置５Ａからの紙幣取り込み許可信号が制御部４０へ発せられ、制御部４０は紙幣取り込み信号を紙幣識別装置８０へ発して、前記停止していた電動機要素６０Ａを再始動して、紙幣識別装置８０に留まっていた紙幣１００を合流装置３Ａへ移送するように制御する。
【００３７】
このような制御のために、制御部４０に対して紙幣識別装置８０が電気的接続手段によって接続され、制御部４０は、この電気的接続手段によって紙幣搬送部５と通信可能状態となるよう制御部の回路電圧レベルを変更する回路を備えている。実施形態では、この電気的接続手段をコネクタとし、このコネクタに制御部４０の判別回路４１の回路電圧レベルを変更する回路を設けている。実施形態では、紙幣搬送装置５Ｂに対応して紙幣搬送制御装置５Ａを設けている。この紙幣搬送制御装置５Ａは、センサ２１０の信号を受ける信号ラインと、電動機要素５３及び６０Ａの動作を制御する電気回路等含み、台間メダル貸機２Ａの固定側コネクタ４３Ａに対して着脱可能に接続されるコネクタ９０でもって制御部４０へ接続されていて、制御部４０からの信号によって動作する構成である。このコネクタ４３Ａと９０が前記電気的接続手段を構成する。また紙幣識別装置８０は、台間メダル貸機２Ａの固定側コネクタ４３に対して着脱可能に接続されるコネクタ９２でもって制御部４０へ電気的に接続される。
【００３８】
制御部４０は判別回路４１を備え、判別回路４１は、その入力電圧の大きさによって出力「有」（これを出力「１」の状態という）か「無」（これを出力「０」の状態という）かの動作をする。その一つの方式として、判別回路４１は二つの入力端子を備え、その一方の入力端子には閾値電圧が印加されていて、他方の入力端子に加える電圧がその閾値電圧未満又は以下の場合は出力が「０」、閾値電圧以上又は越えた場合に出力が「１」となる動作をする構成がある。コネクタ９２によって、紙幣識別装置８０は制御部４０と信号ライン９３が形成されると共に、コネクタ９２に設けたループバックケーブル９４によって、判別回路４１の前記他方の入力端子の電圧ライン４２は制御部４０のアース電圧ライン９５に接続される。このループバックケーブル９４によって、判別回路４１の入力電圧ライン４２は、プラス電圧（ハイレベル電圧）であるＶｃｃからアース電圧（ローレベル電圧）へ切り換わる。即ち、判別回路４１の入力電圧ライン４２は、出力「１」から「０」へ切り換わり、制御部４０は紙幣識別装置８０が接続された状態となる。
【００３９】
なお、前述のように図６に示す紙幣識別装置内蔵タイプの台間メダル貸機２において、基準電圧ライン４２へアース電圧（ローレベル電圧）が印加された状態に設定している場合には、図７に示すような紙幣識別装置が外部設置タイプの台間メダル貸機２Ａにおいては、このループバックケーブル９４によって、判別回路４１の基準電圧ライン４２をプラス電圧（ハイレベル電圧）であるＶｃｃとする方式とすることもできる。上記の構成に代わって、判別回路４１の電圧ライン４２が、判別回路４１の電源電圧ライン４２の電圧であり、これを所定のプラス電圧（ハイレベル電圧）であるＶｃｃとして判別回路４１を動作状態とするか、ゼロ電圧であるアース電圧として判別回路４１を不動作状態とするかをループバックケーブル９４によって行う方式でもよい。
【００４０】
このように、コネクタ９２を台間メダル貸機２Ａに設けたコネクタ４３へ接続することによって、紙幣識別装置８０との信号ライン９３が形成されると共に、判別回路４１の電圧ライン４２の回路電圧が変わるため、判別回路４１の状態によって、制御部４０は紙幣識別装置８０有りの信号を検出した状態である。この検出状態において、制御部４０は、コネクタ９０でもって紙幣搬送制御装置５Ａとの間に形成される信号ライン９１によって、紙幣搬送制御装置５Ａと通信可能となる。
【００４１】
カード処理部２０は、リーダライタ２２によってＩＣカードに書き込まれた情報を台間メダル貸機２の外に設けた通信中継装置４５を介して集中管理システムとして設けた遊技施設内のホストコンピュータへ送信し、各種の情報管理が行われる。
【００４２】
台間メダル貸機２、２Ａとも部品の共通した製造を行うためには、台間メダル貸機２の背面に固定側コネクタ４３、４３Ａを設け、この固定側コネクタ４３の一つの端子に、制御部４０の判別回路４１の電圧ライン４２を接続した形態とすることによって、更に好ましい形態となる。この一つの端子は、固定側コネクタ４３へコネクタ９２が接続されない限り開放状態である。このように構成することによって、台間メダル貸機２の形態から紙幣識別部１０を取り外した形態が台間メダル貸機２Ａとなるため、両形態の台間メダル貸機２、２Ａの殆んどの部分を同じ製造ラインによって製造できるため、製造コストの低下となる。
【００４３】
なお、台間メダル貸機２Ａの固定側コネクタ４３、４３Ａを単一のコネクタ構成とすることもできる。また、コネクタ９０、９２を単一のコネクタ構成とすることもできる。
【００４４】
図７において、動作を説明する。上記のように、コネクタ９２を台間メダル貸機２Ａに設けたコネクタ４３へ接続することによって、紙幣識別装置８０との信号ライン９３が形成されると共に、判別回路４１の電圧ライン４２の電圧がアース電圧ライン９５の電圧、即ち、アース電圧に変わり、制御部４０は紙幣識別装置８０「有り」の信号を検出した状態である。
【００４５】
この状態において、顧客はＩＣカードを台間メダル貸機２ＡのＩＣカード挿入口２１へ挿入し、紙幣識別装置８０の紙幣挿入口へ紙幣を挿入する。挿入された紙幣１００が紙幣識別装置８０に設けたベルト６２、６３を含む紙幣移送装置によって識別部Ｓへ送られて識別される。ここで真正紙幣であると判別されたときには、識別部Ｓから制御部４０へその金額情報（価値情報ともいう）が送信されると共に、制御部４０は、この金額情報をリーダライタ２２によってＩＣカードへ書き込むよう制御する。若し偽紙幣の場合には、前記紙幣移送装置によって紙幣挿入口へ返却される。
【００４６】
上記のように、ＩＣカードへの金額情報の書き込み後に前記のメダル貸し出しスイッチが押されると、メダル払い出し部３０へ信号を送り、メダル払い出し装置３４を作動させて、メダル収納部３１から１回に貸し出される所定枚数のメダルを取り出し口３２またはメダル移送ノズル３３へ送り出す。また、制御部４０は、上述のように、紙幣搬送部５、即ち紙幣搬送制御装置５Ａからの紙幣取り込み許可信号に基づき、紙幣取り込み信号を紙幣識別装置８０へ発して、紙幣１００は合流装置３へ送り出される。合流装置３へ送り出された紙幣１００は、中継搬送装置４へ移送されて最終的には、紙幣収納部Ｋへ収納される。
【００４７】
このメダルの払い出し動作と共に制御部４０は、この払い出した貸し出しメダルに相当する金額情報（価値情報ともいう）を減算させるための信号をリーダライタ２２へ送信して、この減算した残額の金額情報をリーダライタ２２によってＩＣカードに書き込むよう制御し、その残額が表示部２５に表示される。カード処理部２０は、リーダライタ２２によってＩＣカードに書き込まれた情報を台間メダル貸機２Ａの外に設けた通信中継装置４５を介して集中管理システムとして設けた遊技施設内のホストコンピュータへ送信し、各種の情報管理が行われる。
【００４８】
このように、制御部４０によって紙幣識別装置８０、紙幣搬送部５、カード処理部２０、及びメダル払い出し部３０が所定の動作をする。ＩＣカードは、遊技装置Ｐが設置されたその遊技施設に登録した顧客に対して、又は、一見顧客に対して発行するものである。上記同様に、一見顧客の場合は、その遊技施設から一見顧客用ＩＣカードの貸与を受けて、このＩＣカードをＩＣカード挿入口２１へ挿入してから紙幣挿入口１１へ紙幣を挿入することにより、上記のようにメダルの払い出し動作が行われる。ＩＣカードの残額が少なくなったときには、紙幣識別装置８０の紙幣挿入口へ紙幣を追加挿入することにより、ＩＣカードにその金額情報が書き込まれる。このＩＣカードには、その日限りの使用のみである情報が記憶されており、このＩＣカードを持ち帰って翌日使用することはできないようになっている。また、一見顧客の場合には、ＩＣカードの返却スイッチを押したとき、ＩＣカードに書き込まれた金額を使い切った状態であれば、制御部４０からの指令によってリーダライタ２２に備えたカード駆動装置の動作によって使用済みカードとしてカード収納部２３へ取り込まれる。
【００４９】
一方、登録した顧客は、遊技施設から登録顧客用ＩＣカードの貸与を受けて、このＩＣカードをＩＣカード挿入口２１へ挿入し、紙幣識別装置８０の紙幣挿入口へ紙幣を挿入することにより、ＩＣカードにその金額情報が書き込まれ、上記同様に前記のメダル貸し出しスイッチが押されると、所定枚数のメダルが払い出される。ＩＣカードの残額が少なくなったときには、紙幣識別装置８０へ紙幣を追加挿入することによりＩＣカードにその金額情報が書き込まれ、上記同様に前記のメダル貸し出しスイッチが押されると、所定枚数のメダルが払い出される。このＩＣカードは、翌日使用することもできるようにするための情報が記憶されており、登録した顧客の利便を図っている。したがって、翌日このＩＣカードをＩＣカード挿入口２１へ挿入して表示部２５の表示が残額を示す場合、前記のメダル貸し出しスイッチが押されると、上記同様に、所定枚数のメダルが払い出される。
【００５０】
上記のように、本発明における台間メダル貸機は、紙幣識別装置１２とこの紙幣識別装置１２で識別した真正紙幣１００を貯える収納部１３とを内蔵する内蔵タイプの台間メダル貸機２と、外部紙幣識別装置８０とこの外部紙幣識別装置８０で識別した真正紙幣１００を所定の場所へ搬送する紙幣搬送装置５とを台間メダル貸機２Ａ外に設ける紙幣搬送タイプの台間メダル貸機２Ａの何れかであって、前記何れの台間メダル貸機２、２Ａとも、ＩＣカードの受け入れ及び返却動作をするカード駆動装置と、紙幣識別装置からの金額情報をＩＣカードに書き込みＩＣカードの金額情報を読み出すリーダライタ２２と、メダル払い出し部３０と、前記の紙幣識別装置１２又は８０、カード駆動装置、リーダライタ２２及びメダル払い出し部３０と電気的接続関係にある制御部４０とを備え、制御部４０は、コネクタ９２の接続の有無によって紙幣搬送部５との通信可能状態か内蔵タイプの台間メダル貸機２の制御状態かになるよう、制御部４０の判別回路４１の回路電圧レベルを変更する回路をコネクタ９２に備えたものである。これによって、着脱式コネクタ９２が接続されないときには、内蔵タイプの台間メダル貸機２の紙幣識別装置１２の制御可能状態となり、また、着脱式コネクタ９２の接続によって、搬送制御装置５Ａと外部紙幣識別装置８０との制御状態となるよう制御部４０の判別回路４１の回路電圧レベルを変更する。
【００５１】
これによって、紙幣搬送タイプを使用する遊技装置においては、紙幣識別装置が内蔵されていない台間メダル貸機２Ａを設置して、台間メダル貸機２Ａ内の制御部４０へコネクタ９２を接続することによって、紙幣搬送タイプの制御状態となる。このため、紙幣識別装置内蔵タイプの台間メダル貸機方式と、紙幣識別装置外部設置タイプの台間メダル貸機方式との何れが設置された遊技装置においても、紙幣識別装置との信号形態が共通であれば、制御部４０やリーダライタ２２やメダル払い出し部３０の制御を同じく行えるため、何れのタイプの遊技装置にも適用でき、製造とそれに伴うコストの面で大きな効果が期待できる。
【００５２】
そして、制御部４０の回路電圧レベルを変更する装置は、着脱式コネクタ９２の接続によって、制御部４０の動作電圧レベルをハイレベル電圧またはローレベル電圧へ接続するループバックケーブル９４によって構成されている。これによって、外部紙幣識別装置８０の電源がＯＮ状態でないときにも、外部紙幣識別装置８０が接続されたことを判別回路４１が判別するため、主制御部４０を外部紙幣識別装置８０と紙幣搬送部５との通信状態に設定することが正確且つ容易となる。
【００５３】
本発明は、上記実施形態に限定されず、本発明の技術的範囲を逸脱しない限り種種の変更が考えられ、それに係る種種の実施形態を包含するものである。
【００５４】
【発明の効果】
本発明によって、紙幣搬送タイプを使用する遊技装置においては、紙幣識別装置が内蔵されていない台間メダル貸機を設置して、台間メダル貸機内の制御部へコネクタを接続することによって、紙幣搬送タイプの制御状態となる。このため、紙幣識別装置内蔵タイプの台間メダル貸機方式と、紙幣識別装置外部設置タイプの台間メダル貸機方式との何れが設置された遊技装置においても、紙幣識別装置との信号形態が共通であれば、制御部やリーダライタやメダル払い出し部の制御を同じく行えるため、何れのタイプの遊技装置にも適用でき、製造とそれに伴うコストの面で大きな効果が期待できる。
【００５５】
また、制御部の回路電圧レベルを変更する装置は、コネクタの接続によって制御部の動作電圧レベルをハイレベル電圧又はローレベル電圧へ接続するループバックケーブルによって構成しており、外部紙幣識別装置の電源がＯＮ状態でないときにも、外部紙幣識別装置が接続されたことを判別回路が判別するため、制御部を外部紙幣識別装置と紙幣搬送部との通信状態に設定することが正確且つ容易となる。
【図面の簡単な説明】
【図１】本発明に係る紙幣識別装置内蔵タイプの台間機を設置した遊技装置の島の正面図である。
【図２】本発明に係る紙幣識別装置外部設置タイプの台間機を設置した遊技装置の島の正面図である。
【図３】本発明に係る紙幣識別装置内蔵タイプの台間機の正面斜視図である。
【図４】本発明に係る紙幣識別装置外部設置タイプの台間機の正面斜視図である。
【図５】本発明に係る紙幣搬送装置の配置を示す遊技装置の平面図である。
【図６】本発明に係る紙幣識別装置内蔵タイプの台間機を設置した遊技装置の制御回路構成図である。
【図７】本発明に係る紙幣識別装置外部設置タイプの台間機を設置した遊技装置の制御回路構成図である。
【図８】本発明に係る紙幣識別装置と紙幣搬送装置との配置構成の平面図である。
【図９】本発明に係る紙幣搬送装置の一部正面図である。
【符号の説明】
１・・・遊技機
２・・・紙幣識別装置内蔵式台間メダル貸機
２Ａ・・・紙幣搬送式台間メダル貸機
３、３Ａ・・・合流装置
４・・・中継搬送装置
５・・・紙幣搬送部
５Ａ・・・紙幣搬送制御装置
５Ｂ・・・紙幣搬送装置
１０・・・紙幣処理部
１１・・紙幣挿入口
１２・・紙幣識別装置
１３・・紙幣収納部
２０・・カード処理部
２１・・ＩＣカード挿入口
２２・・リーダライタ
３０・・メダル払い出し部
３４・・メダル払い出し装置
４０・・制御部
４１・・判別回路
４２・・基準電圧ライン
８０・・外部紙幣識別装置
９０、９２・・コネクタ
９４・・ループバックケーブル
１００・・紙幣
【図１】
2004215762.tif 000003
【図２】
2004215762.tif 000004
【図３】
2004215762.tif 000005
【図４】
2004215762.tif 000006
【図５】
2004215762.tif 000007
【図６】
2004215762.tif 000008
【図７】
2004215762.tif 000009
【図８】
2004215762.tif 000010
【図９】
2004215762.tif 000011